(57)【要約】      （修正有）【課題】正確なβ値に基づいて書込パワーの適正化を図る。【解決手段】ステップ１８では、ＯＰＣ階段発光の第２〜第４ＡＵＮのModulation平均値が、第５〜第７ＡＵＮのModulationの平均値に対して６５％以下か判断する。または、ステップ１０にて階段発光を行ない、ステップ１２でβ値を測定したら、（第５〜第７ＡＵＮのβ値の平均値）−（第２〜第４ＡＵのβ値の）≧０．１８か判断する。それぞれの場合、トラック跨ぎが発生したと判断する。高出力で書き込まれる記録領域（第２〜第４ＡＵＮ）のModulation値またはβ値と、この領域よりは低出力で書き込まれる記録領域（第５〜第７ＡＵＮ）のModulation値またはβ値とを対比し、その大小関係が本来の関係と一致しているか否かの判断を行っている。高出力側のβ値と低出力側のβ値との差が所定値以上（０．１８）あるか否かの判断にも相当する。【選択図】図４
2013242952.tif 000002
【特許請求の範囲】
【請求項１】
光ディスクに信号を記録する前に、ＯＰＣ（Optimum Power Calibration）を実行する光ディスク記録装置であって、
光ディスクを回転駆動するディスク駆動手段と、
前記ディスク駆動手段によって回転駆動された光ディスクにレーザビームを照射して信号の書き込み／読み出しを行う光ピックアップと、
前記光ピックアップが読み出した信号を処理する信号処理手段と、
前記光ピックアップを駆動するピックアップ駆動手段と、
前記信号処理手段によって処理された信号に基いて、前記ディスク駆動手段およびピックアップ駆動手段を制御する制御手段とを備え、
前記信号処理手段は、前記光ディスクにレーザビームを照射して得られる反射光に基いてＭｏｄｕｌａｔｉｏｎ値および／またはβ値を含む計測値を取得し、
前記制御手段は、ＯＰＣを実行する際に、前記光ディスクの記録領域において書き込みパワーを変化させながら書き込み／読み出しを行い、所定の記録領域の読み出し指示に対して得られるＭｏｄｕｌａｔｉｏｎ値および／またはβ値を含む計測値と、当該所定の記録領域と異なる記録領域の読み出し指示に対して得られるＭｏｄｕｌａｔｉｏｎ値および／またはβ値を含む計測値とに基づいて、再度読み出しを行うか否かを判定する、光ディスク記録装置。
【請求項２】
前記制御手段は、高出力で書き込みされた記録領域の読み出し指示に対して得られるＭｏｄｕｌａｔｉｏｎ値および／またはβ値を含む計測値が低出力で書き込みされた記録領域の読み出し指示に対して得られるＭｏｄｕｌａｔｉｏｎ値および／またはβ値を含む計測値よりも小さくなる場合、再度読み出しを行うと判定することを特徴とする、請求項１に記載の光ディスク記録装置。
【請求項３】
前記高出力で書き込まれる記録領域に対する読み出し時にトラック跨ぎをして隣接するトラックを読み出したときに想定されるＭｏｄｕｌａｔｉｏｎ値および／またはβ値を含む計測値が、前記低出力の側の記録領域に対する読み出し時のＭｏｄｕｌａｔｉｏｎ値および／またはβ値を含む計測値よりも小さくなる場合に、再度読み出しを行うと判定することを特徴とする請求項１または請求項２のいずれかに記載の光ディスク記録装置。
【請求項４】
前記記録領域は、光ディスクの媒体種類がブルーレイディスクであるときにＡＵＮで指定されることを特徴とする請求項１〜請求項３のいずれかに記載の光ディスク記録装置。
【請求項５】
前記光ディスクの媒体種類が、３層のブルーレイディスクであるときに、前記高出力の側の記録領域は第２〜第４ＡＵＮであり、前記低出力の側の記録領域は第５〜第７ＡＵＮであり、前者のＭｏｄｕｌａｔｉｏｎ値の平均値が、後者のＭｏｄｕｌａｔｉｏｎ値の平均値の６５％以下であれば、前記制御手段は、再度読み出しを行うと判定することを特徴とする請求項４に記載の光ディスク記録装置。
【請求項６】
前記光ディスクの媒体種類が、４層のブルーレイディスクであるときに、前記高出力の側の記録領域は第８〜第１０ＡＵＮであり、前記低出力の側の記録領域は第１２〜第１４ＡＵＮであり、前者のＭｏｄｕｌａｔｉｏｎ値の平均値が、後者のＭｏｄｕｌａｔｉｏｎ値の平均値の６５％以下であれば、前記制御手段は、再度読み出しを行うと判定することを特徴とする請求項４に記載の光ディスク記録装置。
【請求項７】
前記記録領域は、光ディスクの媒体種類がＤＶＤであるときにセクタで指定されることを特徴とする請求項１に記載の光ディスク記録装置。
【請求項８】
前記光ディスクの媒体種類が、ＤＶＤ−Ｒであるときに、前記高出力の側の記録領域は第４〜第５セクタであり、前記低出力の側の記録領域は第８〜第１０セクタであり、前者のＭｏｄｕｌａｔｉｏｎ値の平均値が、後者のＭｏｄｕｌａｔｉｏｎ値の平均値の６５％以下であれば、前記制御手段は、再度読み出しを行うと判定することを特徴とする請求項７に記載の光ディスク記録装置。
【請求項９】
前記光ディスクの媒体種類が、ＤＶＤ−ＲＷであるときに、前記高出力の側の記録領域は第４〜第５セクタであり、前記低出力の側の記録領域は第８〜第１０セクタであり、前者のＭｏｄｕｌａｔｉｏｎ値の平均値が、後者のＭｏｄｕｌａｔｉｏｎ値の平均値の６５％以下であれば、前記制御手段は、再度読み出しを行うと判定することを特徴とする請求項７に記載の光ディスク記録装置。
【請求項１０】
前記記録領域は、光ディスクの媒体種類がブルーレイディスクであるときにＡＵＮで指定されることを特徴とする請求項１〜請求項３のいずれかに記載の光ディスク記録装置。
【請求項１１】
前記光ディスクの媒体種類が、ブルーレイディスクの３層であるときに、前記高出力の側の記録領域は第２〜第４ＡＵＮであり、前記低出力の側の記録領域は第５〜第７ＡＵＮであり、後者のβ値の平均値と前者のβ値の平均値との差が０．１８以上であれば、前記制御手段は、再度読み出しを行うと判定することを特徴とする請求項１０に記載の光ディスク記録装置。
【請求項１２】
前記光ディスクの媒体種類が、ブルーレイディスクの４層であるときに、前記高出力の側の記録領域は第８〜第１０ＡＵＮであり、前記低出力の側の記録領域は第１２〜第１４ＡＵＮであり、後者のβ値の平均値と前者のβ値の平均値との差が０．１８以上であれば、前記制御手段は、再度読み出しを行うと判定することを特徴とする請求項１０に記載の光ディスク記録装置。
【請求項１３】
前記記録領域は、光ディスクの媒体種類がＤＶＤであるときにセクタで指定されることを特徴とする請求項１に記載の光ディスク記録装置。
【請求項１４】
前記光ディスクの媒体種類が、ＤＶＤ−Ｒであるときに、前記高出力の側の記録領域は第４〜第５セクタであり、前記低出力の側の記録領域は第８〜第１０セクタであり、後者のβ値の平均値と前者のβ値の平均値との差が０．１８以上であれば、前記制御手段は、再度読み出しを行うと判定することを特徴とする請求項１３に記載の光ディスク記録装置。
【請求項１５】
前記光ディスクの媒体種類が、ＤＶＤ−ＲＷであるときに、前記高出力の側の記録領域は第５〜第７セクタであり、前記低出力の側の記録領域は第１０〜第１２セクタであり、後者のβ値の平均値と前者のβ値の平均値との差が０．１８以上であれば、前記制御手段は、再度読み出しを行うと判定すると判断することを特徴とする請求項１３に記載の光ディスク記録装置。
【請求項１６】
光ディスクを回転駆動するディスク駆動手段と、このディスク駆動手段によって回転駆動された光ディスクにレーザビームを照射して信号の書き込み／読み出しを行う光ピックアップと、この光ピックアップが読み出した信号を処理する信号処理手段と、光ピックアップを駆動するピックアップ駆動手段と、信号処理手段によって処理された信号に基いて、ディスク駆動手段及びピックアップ駆動手段を制御する制御手段とを備え、光ディスクに信号を記録する前に、ＯＰＣ（Optimum Power Calibration）を実行する光ディスク記録装置における光ディスク記録方法において、
前記光ディスクにレーザビームを照射して得られる反射光に基いてＭｏｄｕｌａｔｉｏｎ値および／またはβ値を含む計測値を取得し、ＯＰＣを実行する際に、前記光ディスクの記録領域において書き込みパワーを変化させながら書き込み／読み出しを行い、所定の記録領域の読み出し指示に対して得られるＭｏｄｕｌａｔｉｏｎ値および／またはβ値を含む計測値と、当該所定の記録領域と異なる記録領域の読み出し指示に対して得られるＭｏｄｕｌａｔｉｏｎ値および／またはβ値を含む計測値とに基づいて、再度読み出しを行うか否かを判定する、光ディスク記録方法。
【発明の詳細な説明】
【技術分野】
【０００１】
本発明は、光ディスクに信号を記録する前に、ＯＰＣ（Optimum Power Calibration）を実行する光ディスク記録装置および光ディスク記録方法に関する。
【背景技術】
【０００２】
近年、市場に流通している記録用光ディスクは、一定の規格内で製造されているものの、各メーカー毎に詳細な仕様が異なり、記録に最適な記録パワーが異なっている。そこで、光ディスクに信号を記録する光ディスク記録装置においては、映像等の信号を記録する前に、ＯＰＣ（Optimum Power Calibration）と称される処理を行って記録パワーの最適値（目標値）を決定している。ＯＰＣとは、光ディスクの内周部に形成されているＰＣＡ（Power Calibration Area）に記録パワーを変化させながら信号を書き込み、その信号を再生することにより、記録パワーの最適値を決定する処理である。
【０００３】
従来、この種の記録を行うものとして特許文献１〜５に示すものが知られている。
特許文献１は、光ディスク装置およびその制御方法を開示しており、光ディスク装置の製造時に光ディスク装置毎の信号の読み値を補正する必要が無い光ディスク装置およびその制御方法を提供している。また、段落｛００６６｝には「光ディスク１にデータを記録もしくは光ディスク１に記録されたデータを再生する際に得られるβ値を補正値βｘで補正して、補正後のβ値が目標β値となるように発光量調整回路４の調整目標値を決定する」と開示している。
【０００４】
特許文献２は、光ディスク装置及びデータの記録品質を評価する評価方法を開示しており、未知媒体に対するデータ記録時におけるＯＰＣの精度を確保し得る光ディスク装置及びＯＰＣ方式の選択方法を提案している。また、段落｛００５０｝には「推奨記録パワーに対応するβ値Ｂ１を中心に所定数（例えば前後５点）のβ値を計測し、計測されたβ値の差が所定パーセント（例えば１５％）以上、かつ、その所定パーセントの中に入っているβ値が所定数（例えば８点）以上であれば、両者は一次近似していると判断する」と開示している。
【０００５】
特許文献３は、光ディスク装置とそのための記録パワーの補正方法を開示しており、リアルタイムに記録パワーの補正を行うための方法を提供すると共に、かかる方法を採用して記録の高速化と高品質化とを実現する光ディスク装置を提供している。また、段落｛００３１｝〜｛００３２｝には「取得されたβ値については、所謂、平均化処理が行われる・・・取得されたβ値を、目標値（Target β）±許容値と比較する。その結果、β値が目標値（Target β）±許容値よりも大きい（「Ｙｅｓ」：許容値の範囲を超えた）と判定された場合には、記録パワー（記録Power）を変更する」と開示している。
【０００６】
特許文献４は、光ディスク記録装置を開示しており、光ディスク記録装置において、光ディスクに反り又は面振れが生じている場合であっても、ＲＯＰＣのためのターゲットレシオを適正に取得することができるようにしている。また、段落｛００２５｝には「β値をそれぞれ複数対測定し、その複数対の測定値からβ値とＲＯＰＣレシオに関する近似式を導出し、該近似式にターゲットβ値を代入することにより、ＲＯＰＣにおけるターゲットレシオを決定する」と開示している。
【０００７】
特許文献５は、光ディスク装置及び記録パワーの制御方法を開示しており、光ディスクへの記録パワーを制御する際、記録時間の短縮と記録品質の安定化を両立させるとしている。また、段落｛００２３｝には「モニタ値の変化率ΔＭ／Ｍ０が閾値以上であれば、出力パワーが異常であると判定して、一旦記録を停止する（Ｓ１０８）。そして、記録停止位置直前の記録済データを再生し、β値検出回路８にてβ値（β１）を測定する（Ｓ１０９）。測定値β１と目標のβ値（β０）と補正係数ｋとを用いて、アップレート値α＝１＋ｋ・（β０−β１）を算出」と開示している。
【０００８】
特許文献６は、光ディスク記録装置及び光ディスク記録方法を開示しており、光ディスクの性質に応じて最適な記録パワーを選択し、記録を行なう光ディスク記録装置及び記録方法を提供している。また、段落｛００３８｝には「予め記録パワーＰｘａ〜Ｐｘｊ毎のβ値の平均値をとり、その平均値をプロットしたものの近似式Ｌｂ４より最適記録パワーＰｏを求めてもよい」と開示している。
【０００９】
特許文献３は、別の視点でディスク記録再生装置を開示しており、光ディスクが一時的に受ける振動を考慮して光ビームの記録用パワーを最適に調整する調整処理を行なうディスク記録再生装置を提供している。また、段落｛００３４｝には「ＯＰＣ処理の実行中に光ディスク１ａが一時的に異常な振動を受けたとし、ＯＰＣ処理部１３は、ＯＰＣ処理において、ＲＦ信号に基づくβ値又はジッタ値を複数回取得し、これらの平均値に基づいて最適な記録用パワーを決定する」と開示している。
【００１０】
特許文献４は、別の視点で光ディスク記録装置を開示しており、段落｛００１６｝〜｛００１７｝には「戻り光量と記録パワーとの比（レシオ）が光ディスクのメディア毎に固有のターゲットβ値に基いて得られたＲＯＰＣレシオの目標値（ターゲットレシオ）になるように、記録パワーを制御・・・図２より、各記録パワー毎に測定されたβ値には、若干のばらつきがあり、また、記録パワーをＷ１からＷ４まで段階的に高めていくと、各記録パワー毎のβ値の平均値も線形に増加する」と開示している。
【００１１】
特許文献７は、光ディスクの記録方法を開示しており、ディスクの機械的変動特性やピックアップのローリング特性等がある場合でも、正確な記録特性を安定して確保し、エラーの生じない記録または再生可能な光ディスクの記録方法を提供している。また、段落｛００１４｝〜｛００１５｝には「図６の場合、Ｂｅｔａ値の平均値は１２％であり、最大値は１４％で最小値は１０％である。つまり同じ記録レーザパワーに対してＢｅｔａ値は最大４％の幅で変動していることが判る・・・後半のセクター１１からセクター１５までの５セクターについての結果を、横軸に記録レーザパワーの出力を用いて表すと図７のようになる。図７は、補正前のパワーとをＢｅｔａ値の関係示す図である」と開示している。
【００１２】
特許文献８は、光ディスク装置のパワーキャリブレーション方法を開示しており、１パーティションを越えて記録領域を使用することなく、ディスクの周内変動の影響を受けにくいパワーキャリブレーション方法を提供している。また、段落｛００３０｝には「セクタ領域を再生してβ値検出回路８にて、各セクタのβ値を得、セクタＳＣ０５〜ＳＣ１２の各々について、各段階のβ値の平均値を求めて、記録レーザパワー決定回路１３において最も記録状態が良好であるレーザパワーを計算する」と開示している。
【先行技術文献】
【特許文献】
【００１３】
【特許文献１】特開２０１０−１６５３８６号公報
【特許文献２】特開２００９−１２９５１６号公報
【特許文献３】特開２００８−０４１１２８号公報
【特許文献４】特開２００７−１３３９５８号公報
【特許文献５】特開２００７−０８０４０４号公報
【特許文献６】特開２００８−１０８３４０号公報
【特許文献７】特開２００４−３１９０２４号公報
【特許文献８】特開２００３−３４６３３８号公報
【発明の概要】
【発明が解決しようとする課題】
【００１４】
上述した従来の技術においては、書込パワーの最適化のためにβ値を測定する。しかし、測定時にトラック跨ぎを生じると、このβ測定自体がずれてしまい、本来のβ値に反映させた書込パワーの適正化が行えない。
本発明は、正確なβ値に基づいて書込パワーの適正化を図る光ディスク記録装置および光ディスク記録方法を提供する。
【課題を解決するための手段】
【００１５】
本発明は、光ディスクに信号を記録する前に、ＯＰＣ（Optimum Power Calibration）を実行する光ディスク記録装置であって、光ディスクを回転駆動するディスク駆動手段と、前記ディスク駆動手段によって回転駆動された光ディスクにレーザビームを照射して信号の書き込み／読み出しを行う光ピックアップと、前記光ピックアップが読み出した信号を処理する信号処理手段と、前記光ピックアップを駆動するピックアップ駆動手段と、前記信号処理手段によって処理された信号に基いて、前記ディスク駆動手段およびピックアップ駆動手段を制御する制御手段とを備え、前記信号処理手段は、前記光ディスクにレーザビームを照射して得られる反射光に基いてＭｏｄｕｌａｔｉｏｎ値および／またはβ値を含む計測値を取得し、前記制御手段は、ＯＰＣを実行する際に、前記光ディスクの記録領域において書き込みパワーを変化させながら書き込み／読み出しを行い、所定の記録領域の読み出し指示に対して得られるＭｏｄｕｌａｔｉｏｎ値および／またはβ値を含む計測値と、当該所定の記録領域と異なる記録領域の読み出し指示に対して得られるＭｏｄｕｌａｔｉｏｎ値および／またはβ値を含む計測値とに基づいて、再度読み出しを行うか否かを判定する構成としてある。
【００１６】
前記構成において、ディスク駆動手段は光ディスクを回転駆動可能であり、光ピックアップはこのディスク駆動手段によって回転駆動された光ディスクにレーザビームを照射して信号の書き込み／読み出しを行うことが可能であり、ピックアップ駆動手段はこの光ピックアップを駆動可能である。信号処理手段が光ピックアップが読み出した信号を処理可能であるため、制御手段は信号処理手段によって処理された信号に基いて、ディスク駆動手段及びピックアップ駆動手段を制御する。
【００１７】
また、かかる光ディスク記録装置は、光ディスクに信号を記録する前に、ＯＰＣ（Optimum Power Calibration）を実行するが、前記信号処理手段は、前記光ディスクにレーザビームを照射して得られる反射光に基いてＭｏｄｕｌａｔｉｏｎ値および／またはβ値を含む計測値の取得が可能であり、前記制御手段は、ＯＰＣを実行する際に、前記光ディスクの記録領域において書き込みパワーを変化させながら書き込み／読み出しを行い、所定の記録領域の読み出し指示に対して得られるＭｏｄｕｌａｔｉｏｎ値および／またはβ値を含む計測値と、当該所定の記録領域と異なる記録領域の読み出し指示に対して得られるＭｏｄｕｌａｔｉｏｎ値および／またはβ値を含む計測値とに基づいて、再度読み出しを行うか否かを判定する。
【００１８】
すなわち、階段発光のように段階的に書込パワーを下げるというような書込パワーを変化させながら記録を行なっている場合には、領域ごとに所定のＭｏｄｕｌａｔｉｏｎ値および／またはβ値を含む計測値を期待できる。これを利用し、所定の記録領域の読み出し指示に対して得られたＭｏｄｕｌａｔｉｏｎ値および／またはβ値を含む計測値が、書込パワーから想定されるＭｏｄｕｌａｔｉｏｎ値および／またはβ値を含む計測値と対比して、大きすぎたり、小さすぎたり、領域間での相対的な大小関係が不自然となるというように、その大小関係が所定の関係とならない場合が起こる。この場合には、読み出し指示に対して実際に読み出された領域が異なっていることが分かる。従って、再度読み出しを行うと判定できる。
【００１９】
なお、以上において、本発明の光ディスク記録装置および光ディスク記録方法では、Ｍｏｄｕｌａｔｉｏｎ値および／またはβ値を含む計測値を利用している。言い換えると、本発明の光ディスク記録装置および光ディスク記録方法では、利用する計測値により、次の三つの態様を含むものである。一つめは、Ｍｏｄｕｌａｔｉｏｎ値とβ値を含む計測値の両方を利用する態様であり、二つめは、Ｍｏｄｕｌａｔｉｏｎ値だけを利用する態様であり、三つ目はβ値を含む計測値だけを利用する態様である。むろん、本発明は、これら以外の計測値を並列的に利用する態様を排除するものではない。
【発明の効果】
【００２０】
本発明によれば、ＯＰＣの実行時のβ測定の際にリトライ処理（再度の読込処理）を追加する事で、トラック跨ぎが生じやすい高パワーで記録された箇所であっても、トラック跨ぎを起こしていることが分かるので、リトライを行って正確にβ測定が行えるようになる。
【図面の簡単な説明】
【００２１】
【図１】光ディスク記録装置の概略構成を示すブロック図である。
【図２】ＯＰＣの実行時に読み出しを行うときのＲＦ信号の波形の説明図である。
【図３】ＯＰＣの実行時に読み出しを行うときにトラック跨ぎが生じたときのＭｏｄｕｌａｔｉｏｎ値の変化を示すグラフである。
【図４】ＯＰＣの実行時に読み出し処理を適正化したプログラムに対応するフローチャートである。
【図５】ＯＰＣの実行時に読み出しを行うときにトラック跨ぎが生じたときのβ値の変化を示すグラフである。
【図６】ＯＰＣの実行時に読み出し処理を適正化したプログラムに対応するフローチャートである。
【図７】ブルーレイディスクの４層でＯＰＣの実行時に読み出しを行うときのＲＦ信号の波形の説明図である。
【図８】ブルーレイディスクの１・２層でＯＰＣの実行時に読み出しを行うときのＲＦ信号の波形の説明図である。
【図９】ＤＶＤ−Ｒの１・２層でＯＰＣを行うときの書込パワーの変化を示す説明図である。
【図１０】ＤＶＤ−Ｒの１・２層でＯＰＣの実行時に読み出しを行うときのＲＦ信号の波形の説明図である。
【図１１】ＤＶＤ−ＲＷの１・２層でＯＰＣを行うときの書込パワーの変化を示す説明図である。
【図１２】ＤＶＤ−ＲＷの１・２層でＯＰＣの実行時に読み出しを行うときのＲＦ信号の波形の説明図である。
【発明を実施するための形態】
【００２２】
（実施例１）
以下、図面にもとづいて本発明の実施形態を説明する。
図１は、本発明の一実施形態にかかる光ディスク記録装置を概略ブロック図により示している。
光ディスク記録装置１は、光ディスクＤを回転駆動するスピンドルモーター（ディスク駆動手段）２と、回転中の光ディスクＤにレーザビームＬを照射して信号の書き込み／読み出しを行う光ピックアップ３と、光ピックアップ３が読み出した信号を処理する信号処理部（信号処理手段）４と、スピンドルモーター２及び光ピックアップ３に駆動電圧を印加する駆動部（ディスク駆動手段、ピックアップ駆動手段）５と、装置各部の制御を司る制御部（制御手段）６等によって構成されている。制御部６は、例えば、信号処理部４によって処理された信号に基いて、駆動部５を介してスピンドルモーター２及び光ピックアップ３を制御する。
【００２３】
光ピックアップ３は、レーザビームを出射するレーザダイオード（発光素子）１１と、レーザダイオード１１から出射されたレーザビームを平行光線にするコリメータレンズ１３と、コリメータレンズ１３を透過したレーザビームを光ディスクＤの記録面に集光させる対物レンズ１４と、レーザダイオード１１から出射されたレーザビームをコリメータレンズ１３に向けて透過させると共に、光ディスクＤの記録面によって反射され、対物レンズ１４及びコリメータレンズ１３を透過したレーザビームをフォトダイオード１５に向けて反射させるビームスプリッタ１２と、ビームスプリッタ１２によって反射されたレーザビームを受光するフォトダイオード（受光素子）１５等によって構成されている。
【００２４】
一般に、光ディスク記録装置は、光ディスクへの信号の書き込み品質を向上させるために、光ディスクに信号を記録する前に、光ディスクのＰＣＡ（Power Calibration Area）においてＯＰＣ（Optimum Power Calibration）を実行し、その後、光ディスクに信号を記録している際中にも、光ディスクの記録面によって反射されたレーザビーム（戻り光）を受光素子によって受光することにより、信号の書き込みと並行してＲＯＰＣ（Running Optimum Power Calibration）を実行するように構成されている。
【００２５】
なお、ＲＯＰＣは、戻り光量と記録パワーとの比（レシオ）が光ディスクのメディア毎に固有のターゲットβ値に基いて得られたＲＯＰＣレシオの目標値（ターゲットレシオ）になるように、記録パワーを制御することによりなされている。従って、光ディスク記録装置においては、適正なターゲットレシオを取得することがＲＯＰＣを実行する上で重要となる。
【００２６】
ここで、ＯＰＣの実行時のトラック跨ぎについて説明する。図２は、ＯＰＣの実行時に読み出しを行うときのＲＦ信号の波形をトラック跨ぎとの関係を示している。
この波形はブルーレイディスク（ＢＤ−Ｒ／ＲＥ）３層でのＲＦ信号の波形を示している。ＯＰＣの実行時には階段発光をして記憶する。階段発光とは、段階的に書込パワーを下げながら所定の書き込みを行うことを意味する。ブルーレイディスクでの記録領域はＡＵＮで示され、光ピックアップユニット（ＰＵ）進行方向に向かって書込パワーは３２個のＡＵＮを二回に分け、それぞれ１６個のＡＵＮにわたって徐々に最大書込パワーから最小書込パワーまで段階的に下げながら発光して書き込みを行う（階段発光）。
【００２７】
このように一回のＯＰＣ区間は３２個のＡＵＮとなる。一方、ブルーレイディスクの１周分は４４個のＡＵＮに相当する。従って、ＯＰＣ区間の最初の区間（図２の左上に示す位置）にトラッキングしようとしたときにトラック跨ぎを起こして一つ隣のトラックに乗ってしまうと、本来の開始位置から４４個のＡＵＮ後の記録領域に乗ってしまうことになる。
【００２８】
このようなトラック跨ぎは、ＯＰＣの実行時において特に高パワー（高出力）で書き込んだ領域において発生することが分かっている。従って、ＯＰＣで階段発光して書き込んだ後、読み出しを行う場合、高出力で書き込んだ記録領域にトラッキングしようとしたところトラック跨ぎを起こしてしまうと、図２の右上の４４番目のＡＵＮの次、すなわち、４５番目のＡＵＮの記録領域を１番目のＡＵＮの記録領域として読み出してしまうことが起きる。
【００２９】
すると、１番目のＡＵＮではないので、書き込みパワーは高出力のものではなく、より低出力で書き込まれた記録領域に見合うだけのＲＦ信号出力となる。図では白い領域のＲＦ信号が読み取られるはずであるのに、斜線で示す領域のＲＦ信号が読み取られている状態を示している。
この結果、β測定し、Ｍｏｄｕｌａｔｉｏｎ値を取得してみると、図３に示すようなグラフとなる。ここで、図３は、ＯＰＣの実行時に読み出しを行うときにトラック跨ぎが生じたときのＭｏｄｕｌａｔｉｏｎ値の変化をグラフで示している。
【００３０】
本来最も高い値を示すはずの１番目のＡＵＮのＭｏｄｕｌａｔｉｏｎ値は、５番目のＡＵＮでのＭｏｄｕｌａｔｉｏｎ値よりも低く、２〜４番目のＡＵＮでの各Ｍｏｄｕｌａｔｉｏｎ値も同様に５番目のＡＵＮでのＭｏｄｕｌａｔｉｏｎ値よりも低い。正しく、最大値から徐々に下がっていき、これを二回繰り返すＯＰＣ区間が、本来の開始位置から始まっているのではなく、途中から始まってしまうので、規則的な二段階の階段発光の出力を表していないのである。
【００３１】
このように、ブルーレイディスクの３層メディアでは、図２に示すようにして、トラック跨ぎが発生すると、以前のＯＰＣで記録した位置へ着地し、見かけ上のＲＦ信号が同図の下段のようになる。この結果、測定データは、先頭の４つのＡＵＮ分が異常値となる。
そして、従来では高パワーで記録された箇所でトラック跨ぎを起こした際、書き込みパワーとβ値の関係がずれた計測値（データ）により、本来の最適な書込パワーからずれた書込パワーの値が導出されてしまい、そのまま利用すると記録品質が悪化する問題があった。
【００３２】
図４は、ＯＰＣの実行時に読み出し処理を適正化したプログラムに対応するフローチャートである。制御手段である制御部６にはプログラム処理を実行可能なＣＰＵなども含まれており、図４に示すフローチャートに対応する処理を実現している。
この処理では、以下の条件を設定してトラック跨ぎの判定を行い、ＯＰＣの実行時における読み出しのリトライ（再読込）を実施する。
【００３３】
条件１：高パワーで記録した箇所でしかトラック跨ぎは発生しないので、ＯＰＣ階段発光第５〜第１０ＡＵＮの中に、Ｍｏｄｕｌａｔｉｏｎ値が０．３以上の箇所が一箇所以上あるか確認する。ない場合は、以下の条件２，３は行わない。
条件２：Ｍｏｄｕｌａｔｉｏｎ値が０．１以下の箇所では、信号レベルが小さすぎてβ値がまともに出ないため、ＯＰＣ階段発光の第２〜第４ＡＵＮの間に２ＡＵＮ以上、Ｍｏｄｕｌａｔｉｏｎ値が０．１以下の区間があったら異常とみなし、β測定のリトライを行う。
【００３４】
条件３：ＯＰＣ階段発光の第２〜第４ＡＵＮのＭｏｄｕｌａｔｉｏｎ平均値が、第５〜第７ＡＵＮのＭｏｄｕｌａｔｉｏｎの平均値に対して６５％以下なら、トラック跨ぎが発生したと判断し、β測定のリトライを行う。
なお、フローチャートでは、スペースの都合上、ＭｏｄｕｌａｔｉｏｎをＭｏｄと略して表示している。
この条件を組み入れたＯＰＣでは、まず、ステップ１０にて階段発光を行ない、ステップ１２でβ値を測定する（Ｂｅｔａ測定とも呼ぶ）。本実施例では、光ディスクにレーザビームを照射して得られる反射光に基いて書込パワーに略比例する測定可能な計測値として、具体的にはβ値と、Ｍｏｄｕｌａｔｉｏｎ値とを利用している。
【００３５】
ステップ１４では、条件１の判定を行う。すなわち、ＯＰＣ階段発光第５〜第１０ＡＵＮの中に、Ｍｏｄｕｌａｔｉｏｎ値が０．３以上の箇所が一箇所以上あるか確認する。トラック跨ぎをすることで、第５〜第１０ＡＵＮは本来の第１〜第５ＡＵＮに相当する記録領域を読み出していることになる。これは、トラック跨ぎが生じている図３のグラフをシフトさせると理解しやすいが、トラック跨ぎが生じてないとすれば、第９〜第１４ＡＵＮの記録領域から得られる計測値が本来のＭｏｄｕｌａｔｉｏｎ値のはずである。図３のグラフを参照すると、いずれの場合も０．３以上の値を取ることは明かである。このため、以下の条件２，条件３へと進む。なお、この処理では、所定の記録領域（第５〜第１０ＡＵＮ）から得られた計測値（Ｍｏｄｕｌａｔｉｏｎ値）が、書込パワーから想定される計測値と対比して、小さすぎる関係を判定していることになる。
【００３６】
一方、０．３以上ないということは、少なくとも第５〜第１０ＡＵＮは高出力の書込パワーで書き込まれていないことは分かるから、トラック跨ぎが起こる状況でないということが分かる。従って、以下の条件２，条件３は行わない。この場合、条件２，条件３を飛ばしてステップ２２で最適な書込パワーの導出の処理を行っても良いし、別途、正確な導出が行われないとしてエラーの処理を実施しても良い。
【００３７】
次に、ステップ１６では、条件２の判定を行う。すなわち、ＯＰＣ階段発光の第２〜第４ＡＵＮの間に２ＡＵＮ以上、Ｍｏｄｕｌａｔｉｏｎ値が０．１以下の区間があったら異常とみなし、β測定のリトライを行う。これは、Ｍｏｄｕｌａｔｉｏｎ値が０．１以下の箇所では、信号レベルが小さすぎてβ値がまともに出ないためである。この処理も、所定の記録領域（第２〜第４ＡＵＮ）から得られた計測値（Ｍｏｄｕｌａｔｉｏｎ値）が、書込パワーから想定される計測値と対比して、小さすぎる関係を判定していることになる。
【００３８】
以上は、Ｍｏｄｕｌａｔｉｏｎ値を絶対的な条件と対比させて判定している。従って、各メーカー毎に詳細な仕様が異なり、許容値を設定するにしても大きめのマージンが必要であり、信頼性の向上には限界がある。
一方、ステップ１８では、条件３の判定を行うが、この判定は相対的な対比なので各メーカー毎に仕様が異なるものであっても、許容しなければならないマージンは小さくできる。条件３では、ＯＰＣ階段発光の第２〜第４ＡＵＮのＭｏｄｕｌａｔｉｏｎ平均値が、第５〜第７ＡＵＮのＭｏｄｕｌａｔｉｏｎの平均値に対して６５％以下なら、トラック跨ぎが発生したと判断し、β測定のリトライを行う。
【００３９】
この判断は、高出力で書き込まれる記録領域（第２〜第４ＡＵＮ）の読み出し指示に対して得られたＭｏｄｕｌａｔｉｏｎ値と、この領域よりは低出力で書き込まれる記録領域（第５〜第７ＡＵＮ）の読み出し指示に対して得られたＭｏｄｕｌａｔｉｏｎ値とを対比し、再度読み出しを行うか否かを判定する。より具体的には、両者の大小関係が本来の関係と一致しているか否かの判断を行っていることに相当する。また、高出力で書き込まれる記録領域（第２〜第４ＡＵＮ）のＭｏｄｕｌａｔｉｏｎ値が、当該高出力で書き込まれる記録領域よりも低出力で書き込まれる記録領域（第５〜第７ＡＵＮ）の読み出し指示に対して得られたＭｏｄｕｌａｔｉｏｎ値よりも、本来大きいはずであるが、その測定値はその大小関係が反転しているとの判断を行うことにも相当する。さらに、高出力で書き込まれる記録領域からの読み出し時に、トラック跨ぎをして隣接するトラックを読み出したときに得られるＭｏｄｕｌａｔｉｏｎ値となるので、想定される大小関係が本来の大小関係と相違してくることの現れでもある。なお、本実施例ではＭｏｄｕｌａｔｉｏｎ値を使用して判断を行っているが、後述するように、β値そのものを使っても同等のことが可能であり、また、他の計測値での相対評価も可能といえる。なお、厳密な表現をすれば、ある記憶領域の読み出し指示に対して得られた計測値とすべきであるが、以下には単に所定の記憶領域の計測値と表現する。
【００４０】
このステップ１８では、まず、第２〜第４ＡＵＮのＭｏｄｕｌａｔｉｏｎ平均値を算出する。次に、第５〜第７ＡＵＮのＭｏｄｕｌａｔｉｏｎの平均値を算出する。そして、後者が前者の６５％以上なら、トラック跨ぎが発生したと判断する。むろん、この６５％の数値は厳格なものではなく、多少の誤差を考慮して判断しても良い。例えば、閾値として５０％〜８０％といった範囲の中から適宜実験を通して設定しても良い。
【００４１】
また、平均値は一例にすぎず、中間値であったり、本来の暫源する関係を考慮した重み付け後の平均値を取るなど、類似の演算手法を除外するものでもない。
以上の条件に一致しない場合は、トラック跨ぎを発生していない状態であるから、本来のメーカー毎に異なる範囲のずれを解消すべく、ステップ２２で最適な書込パワーを導出する。導出手法は特に限定されるものではなく、公知の手法を採用すればよい。
【００４２】
（実施例２）
上述した実施例では、計測値としてＭｏｄｕｌａｔｉｏｎ値を利用して判断を行っていたが、本実施例では、計測値としてβ値そのものを利用して判断する。
図５は、ＯＰＣの実行時に読み出しを行うときにトラック跨ぎが生じたときのβ値の変化をグラフで示しており、図６は、ＯＰＣの実行時に読み出し処理を適正化したプログラムをフローチャートにより示している。図５から分かるように、β値は、数値の範囲は異なるものの、Ｍｏｄｕｌａｔｉｏｎ値とほぼ同様の変化を示しており、トラック跨ぎで本来の記録領域ではなく、１周ずれた記録領域に着地してしまった場合に、計測値の変化が規則的にずれている。
【００４３】
そこで、図６に示すフローチャートでは、ステップ２０にて、次の条件判定を行っている。
条件４：ＯＰＣ階段発光の読み取り時、
（第５〜第７ＡＵＮのβ値の平均値）−（第２〜第４ＡＵＮのβ値の平均値）≧０．１８
なら、トラック跨ぎが発生したと判断する。
すなわち、ステップ１０にて階段発光を行ない、ステップ１２でβ値を測定したら、ステップ２０にて前記演算を行う。なお、平均以外の演算の利用や、閾値「０．１８」の変更の余地はステップ１８と同様であり、環境によって適宜変更の余地がある。この例でもある範囲では変更可能であった。この変更の余地は今後出てくる光ディスクの媒体種類によっても大きく依存する。
【００４４】
この判断は、高出力で書き込まれる記録領域（第２〜第４ＡＵＮ）の読み出し指示に対して得られたβ値と、この領域よりは低出力で書き込まれる記録領域（第５〜第７ＡＵＮ）の読み出し指示に対して得られたβ値とを対比し、再度読み出しを行うか否かを判定する。より具体的には、両者の大小関係が本来の関係と一致しているか否かの判断を行っていることにも相当する。また、高出力で書き込まれる記録領域（第２〜第４ＡＵＮ）の読み出し指示に対して得られたβ値と、当該高出力で書き込まれる記録領域よりも低出力で書き込まれる記録領域（第５〜第７ＡＵＮ）の読み出し指示に対して得られたβ値であり、高出力の側のβ値と低出力の側のβ値との差が所定値以上（０．１８）あるか否かの判断にも相当する。さらに、高出力で書き込まれる記録領域からの読み出し時に、トラック跨ぎをして隣接するトラックを読み出したときに得られるβ値となるので、想定される大小関係が本来の大小関係と相違してくることの現れでもある。また、β値の代わりにＭｏｄｕｌａｔｉｏｎ値を使用した判断にも適用可能である。
なお、ステップ１８やステップ２０において、リトライを行なうにあたり、所定の回数を超えた場合にはトラック跨ぎを解消できないと判断しても良い。この場合には、ＯＰＣの実行時における階段発光の際に高出力の側の上限値を少し下げ、ステップ１０での書き込みをし直すことから開始しても良い。
【００４５】
（実施例３）
上述した実施例では、高出力で書き込まれる記録領域を第２〜第４ＡＵＮとし、この領域よりは低出力で書き込まれる記録領域を第５〜第７ＡＵＮとしている。しかし、具体的な記録領域は、光ディスクの媒体種類によって異なる。このため、以下に各媒体種類について説明する。
【００４６】
まず、ブルーレイディスクの４層について説明する。図７は、ブルーレイディスクの４層でＯＰＣの実行時に読み出しを行うときのＲＦ信号の波形の説明図である。
ブルーレイディスクの４層の場合、同図の上段に示すようにディスク１周分は４２個のＡＵＮが割り当てられている。また、１回のＯＰＣ区間はブルーレイディスクとして共通の３２個のＡＵＮを利用する。従って、第１ＡＵＮを読み出そうとしてトラック跨ぎを生じると、読み出すのは第４３ＡＵＮであり、１０個のＡＵＮ分だけずれた領域を読み出すことになる。すると、同図の下段に示すように、本来高出力の領域として読み出している最初の６個のＡＵＮが、現実にはトラック跨ぎして階段発光で段階的に書込パワーを下げていった後半側の６個のＡＵＮであることになる。
【００４７】
大きく差が生じるのは第６ＡＵＮと第７ＡＵＮとの間であり、平均化して安定した判断を行うべく、本実施例では、高出力で書き込まれる記録領域を第４〜第６ＡＵＮとし、この領域よりは低出力で書き込まれる記録領域を第７〜第９ＡＵＮとし、それぞれの記録領域での計測値の平均値の大小関係で判断すればよい。
（実施例４）
【００４８】
次に、ブルーレイディスクの１・２層について説明する。図８は、ブルーレイディスクの１・２層でＯＰＣの実行時に読み出しを行うときのＲＦ信号の波形の説明図である。
ブルーレイディスクの１・２層の場合、同図の上段に示すようにディスク１周分は３６．５個のＡＵＮが割り当てられている。また、１回のＯＰＣ区間はブルーレイディスクとして共通の３２個のＡＵＮを利用する。従って、第１ＡＵＮを読み出そうとしてトラック跨ぎを生じると、読み出すのは第３７．５ＡＵＮであり、４．５個のＡＵＮ分だけずれた領域を読み出すことになる。すると、同図の下段に示すように、本来高出力の領域として読み出している最初の１１．５個のＡＵＮが、現実にはトラック跨ぎして階段発光で段階的に書込パワーを下げていった後半側の１１．５個のＡＵＮであることになる。
【００４９】
大きく差が生じるのは第１１．５ＡＵＮと第１２．５ＡＵＮとの間であり、平均化して安定した判断を行うべく、本実施例では、高出力で書き込まれる記録領域を第８〜第１０ＡＵＮとし、この領域よりは低出力で書き込まれる記録領域を第１２〜第１４ＡＵＮとし、それぞれの記録領域での計測値の平均値の大小関係で判断すればよい。このときは、第１１ＡＵＮは信号変化するので避けている。
【００５０】
（実施例５）
次に、ＤＶＤ−Ｒの１・２層について説明する。図９は、ＤＶＤ−Ｒの１・２層でＯＰＣを行うときの書込パワーの変化を示し、図１０は、ＤＶＤ−Ｒの１・２層でＯＰＣの実行時に読み出しを行うときのＲＦ信号の波形の説明図である。
ブルーレイディスクと異なり、ＤＶＤ−Ｒの場合は、図９に示すように、一定パワーで２セクタの書き込みを行い、その後、変動パワーで１４セクタの書き込みを行い、計１６セクタを使用している。
【００５１】
ＤＶＤ−Ｒの場合、図１０の上段に示すようにディスク１周分は２７セクタが割り当てられている。また、１回のＯＰＣ区間は計１６セクタを利用する。従って、第３セクタを読み出そうとしてトラック跨ぎを生じると、読み出すのは第３０セクタであり、１３セクタ分だけずれた領域を読み出すことになる。すると、同図の下段に示すように、一定パワーの２セクタの後、本来高出力の領域として読み出している最初の３セクタが、現実にはトラック跨ぎして階段発光で段階的に書込パワーを下げていった後半側の３セクタであることになる。
【００５２】
大きく差が生じるのは第５セクタと第６セクタとの間であるが、その後の一定パワーの記録領域（第６，第７セクタ）を考慮し、平均化して安定した判断を行うべく、本実施例では、高出力で書き込まれる記録領域を第４〜第５セクタとし、この領域よりは低出力で書き込まれる記録領域を第８〜第１０セクタとし、それぞれの記録領域での計測値の平均値の大小関係で判断すればよい。
【００５３】
（実施例６）
次に、ＤＶＤ−ＲＷについて説明する。図１１は、ＤＶＤ−ＲＷでＯＰＣを行うときの書込パワーの変化を示し、図１２は、ＤＶＤ−ＲＷでＯＰＣの実行時に読み出しを行うときのＲＦ信号の波形の説明図である。
ＤＶＤ−ＲＷの場合は、図１１に示すように、一定パワーで２セクタの書き込みを行い、その後、変動パワーで１０セクタを３回繰り返して書き込みを行い、計３２セクタを使用している。
【００５４】
ＤＶＤ−ＲＷの場合、図１２の上段に示すようにディスク１周分は２７セクタが割り当てられている。また、１回のＯＰＣ区間は計３２セクタを利用する。従って、第３セクタを読み出そうとしてトラック跨ぎを生じると、読み出すのは第３０セクタであり、変動パワーで書き込んだ最後の３セクタの領域を読み出すことになる。すると、同図の下段に示すように、一定パワーの２セクタの後、本来高出力の領域として読み出している最初の３セクタが、現実にはトラック跨ぎして階段発光で段階的に書込パワーを下げていった後半側の３セクタであることになる。
【００５５】
大きく差が生じるのは第７セクタと第８セクタとの間であるが、その後の一定パワーの記録領域（第８，第９セクタ）を考慮し、平均化して安定した判断を行うべく、本実施例では、高出力で書き込まれる記録領域を第５〜第７セクタとし、この領域よりは低出力で書き込まれる記録領域を第１０〜第１２セクタとし、それぞれの記録領域での計測値の平均値の大小関係で判断すればよい。
【００５６】
このように、本発明の光ディスク記録装置では、ステップ１８では、ＯＰＣ階段発光の第２〜第４ＡＵＮのＭｏｄｕｌａｔｉｏｎ平均値が、第５〜第７ＡＵＮのＭｏｄｕｌａｔｉｏｎの平均値に対して６５％以下なら、トラック跨ぎが発生したと判断し、β測定のリトライを行う。
すなわち、高出力で書き込まれる記録領域（第２〜第４ＡＵＮ）のＭｏｄｕｌａｔｉｏｎ値と、この領域よりは低出力で書き込まれる記録領域（第５〜第７ＡＵＮ）のＭｏｄｕｌａｔｉｏｎ値とを対比し、その大小関係が本来の関係と一致しているか否かの判断を行っている。
また、ステップ１０にて階段発光を行ない、ステップ１２でβ値を測定したら、ステップ２０にて、
（第５〜第７ＡＵＮのβ値の平均値）−（第２〜第４ＡＵＮのβ値の平均値）≧０．１８
なら、トラック跨ぎが発生したと判断する。この判断は、高出力で書き込まれる記録領域（第２〜第４ＡＵＮ）のβ値と、この領域よりは低出力で書き込まれる記録領域（第５〜第７ＡＵＮ）のβ値とを対比し、高出力の側のβ値と低出力の側のβ値との差が所定値以上（０．１８）あるか否かの判断に相当する。
【００５７】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００５８】
１…光ディスク記録装置、２…スピンドルモーター（ディスク駆動手段）、３…光ピックアップ、４…信号処理部（信号処理手段）、５…駆動部（ピックアップ駆動手段）、６…制御部（制御手段）、１１…レーザダイオード（発光素子）、１２…ビームスプリッタ、１３…コリメータレンズ、１４…対物レンズ、１５…フォトダイオード（受光素子）。
【図１】
2013242952.tif 000003
【図２】
2013242952.tif 000004
【図３】
2013242952.tif 000005
【図４】
2013242952.tif 000006
【図５】
2013242952.tif 000007
【図６】
2013242952.tif 000008
【図７】
2013242952.tif 000009
【図８】
2013242952.tif 000010
【図９】
2013242952.tif 000011
【図１０】
2013242952.tif 000012
【図１１】
2013242952.tif 000013
【図１２】
2013242952.tif 000014